(57)【要約】  医療関係者が静脈留置針を取り外す際、誤って使用済みの穿刺針を自身に誤刺して怪我をする事態を予防するために、安全対策がされた静脈留置針に関する。静脈留置針は中心部に内針連通空洞部が形成され、内針連通空洞部の側面に配置され内針連通空洞部に連通するシャントチューブを有し、外針基と、収納筒と、トロッカーの先端から露出される穿刺針保持部と、引抜部と、中空管である操作部と、を有する。中空管の周囲には押出部が配置され、中空管の中心部には引抜部が埋め込まれて固定され、収納筒の曲面部は前記中空管の周囲と中空管の中心部との間を通過するように配置され、押出部に押出力を与えることにより操作部が収納筒の曲面部を前後に移動し、押出部が前方押された場合に引抜部の第２結合部と穿刺針保持部の第１結合部とが結合し、押出部が引き戻される引抜部に結合した穿刺針保持部が引き戻され、穿刺針が前記針収容部に収納される。
2016506282.tif 000002
【特許請求の範囲】
【請求項１】
中心部に内針連通空洞部が形成され、前記内針連通空洞部の側面に配置され前記内針連通空洞部に連通するシャントチューブを有し、前記内針連通空洞部の先端からトロッカーが露出される外針基と；
先端には針収容部が形成され、後端には曲面部が形成され、前記外針基の前記内針連通空洞部に連通する収納筒と；
先端には穿刺針が挿入して固定され、後端には第１結合部が配置され、前記針収容部に収納された場合に前記穿刺針が前記収納筒の本体の中央の前部孔、前記内針連通空洞部及び前記外針基の前記トロッカーを通過して前記トロッカーの先端から露出される穿刺針保持部と；
先端に第２結合部が配置される引抜部と；
中空管である操作部と；を有し、
前記中空管の周囲には押出部が配置され、前記中空管の中心部には前記引抜部が埋め込まれて固定され、前記収納筒の前記曲面部は前記中空管の周囲と前記中空管の中心部との間を通過するように配置され、前記押出部に押出力を与えることにより前記操作部が前記収納筒の前記曲面部を前後に移動し、前記押出部が前方に押された場合に前記引抜部の前記第２結合部と前記穿刺針保持部の前記第１結合部とが結合し、前記押出部が引き戻される場合に前記引抜部に結合した前記穿刺針保持部が引き戻され、前記穿刺針が前記針収容部に収納される、安全な静脈留置針。
【請求項２】
前記第１結合部は凹んだ形状であり、前記第２結合部は突き出た形状であり、前記第１結合部の一方の側の内部側壁には突起と肉薄側面部とが形成され、前記第１結合部の他方の側の内部側壁には肉厚側面部が形成され、
前記第２結合部が前記第１結合部に結合されると穿刺針保持部と引抜部との間にてこが働き、前記穿刺針が前記針収容部引き戻された場合に前記穿刺針に傾く力が働く、請求項１に記載の安全な静脈留置針。
【請求項３】
前記操作部は前記中空管の中心部に筒状空洞部が配置され、前記中空管の周囲と前記筒状空洞部との間に弧状開口部が形成され、前記引抜部は前記筒状空洞部に埋め込まれて固定され、前記収納筒の前記曲面部は前記弧状開口部を通過するように配置される、請求項１に記載の安全な静脈留置針。
【請求項４】
前記針収容部の前記先端の内部側壁に少なくとも１つの溝部が形成され、前記穿刺針が前記針収容部に引き戻された場合に前記穿刺針の針頭部が傾いて前記溝部に移動する、請求項２に記載の安全な静脈留置針。
【請求項５】
前記溝部と前記前部孔との間には傾斜部が形成され、前記穿刺針が前部孔を通過して前記針収容部に引き戻された場合に、前記穿刺針の前記針頭部が傾いて前記溝部に移動する、請求項４に記載の安全な静脈留置針。
【請求項６】
さらに前記収納筒の後端に固定して配置されたバネ機構を有し、前記操作部を押し出す前記押出部を後方に移動すると前記バネ機構が圧縮され、前記押出部が解放された後に前記バネ機構の弾力性のある押出力によって前記操作部、前記引抜部、前記穿刺針保持部が前方に向けて押し出されて、前記穿刺針保持部に配置された前記穿刺針の前記針頭部が前記溝部内に深く突き当たる、請求項４に記載の安全な静脈留置針。
【請求項７】
前記バネ機構は固定部と、バネ部と、受取部とによって構成され、前記固定部と前記バネ部とは前記受取部に保持され、前記バネ機構は前記受取部によって前記収納筒の後側収容部に配置される、請求項６に記載の安全な静脈留置針。
【請求項８】
前記押出部には指押部が窪んだ形状で形成され、さらに前記押出部の側面には滑り止め機能を有する一対の羽根部が配置される、請求項１に記載の安全な静脈留置針。
【請求項９】
前記外針基は内部に隔離プラグを含み、前記隔離プラグは前記内針連通空洞部と前記シャントチューブとの間の連結部の後端側に配置され、前記隔離プラグに前記穿刺針を挿入することにより、前記穿刺針が前記内針連通空洞部を通過する、請求項１に記載の安全な静脈留置針。
【請求項１０】
前記収納筒の先端の外縁にはＵ字型の係止部が形成され、前記操作部の中空管の一部には前記Ｕ字型の係止部に対応するＵ字型の隙間部が形成され、前記収納筒の前記曲面部の後端にはマーキングカーブが配置され、前記押出部が前方に向けて押されて前記操作部の前記隙間部が前記係止部に配置された場合に前記引抜部の前記第２結合部が前記穿刺針保持部の前記第１結合部に結合し、前記押出部が押し戻されて前記操作部の前記隙間部が前記マーキングカーブの上に移動すると前記穿刺針の前記針頭部が前記針収容部に収容される、請求項１に記載の安全な静脈留置針。
【発明の詳細な説明】
【技術分野】
【０００１】
本発明は安全な静脈留置針に関し、特に、医療関係者が誤って使用済みの穿刺針を自身に誤刺して怪我をする事態を予防するための安全対策がされた静脈留置針に関する。
【背景技術】
【０００２】
複数回の穿刺による痛みを和らげるために、一般的に、静脈注射を複数回行う必要がある患者には静脈留置針が使用され、穿刺を容易にし、複数回の穿刺による痛みを緩和する。
【０００３】
図１は、従来の静脈留置針の拡大斜視図である。図示されている通り、静脈留置針１００は外針基１１と穿刺針１３とを有する。
【０００４】
外針基１１は前端部にトロッカー１１１が配置されており、側部には輸液管１２と結合されたシャントチューブ１１３が接続されている。薬品注入または血液の通路である輸液管１２は、薬品または血液を保管するパイプ、導管または容器に連結する結合部１２１を有する。さらに、穿刺針１３の針体は外針基１１の内部に埋め込まれており、針体の一部はトロッカー１１１の前端部にて露出されていてもよい。さらに、静脈留置針１００を使用する前に、針シースを配置して外針基１１の前端部を覆うことにより、外針基１１を通過するトロッカー１１１及び穿刺針１３を覆ってもよい。
【０００５】
静脈留置針１００が医療的に使用される際、医療関係者は針シースを取り外し、外針基１１の前端部に配置されているトロッカー１１１と外針基１１を通過する穿刺針１３とが露出される。トロッカー１１１は穿刺針１３に先導され、人体の静脈に挿入される。血液の還流によって静脈注射が確認されると、穿刺針１３が引き抜かれてトロッカー１１１のみが静脈に残留する。その後、薬剤は輸液管１２、シャントチューブ１１３、トロッカー１１１を通過して人体に注入される。
【０００６】
従来の静脈留置針１００においては、穿刺針１３が引き抜かれる時、穿刺針１３が全体的に露出していた。このように、患者の血液が付着した穿刺針１３が医療関係者に誤って刺さると、感染を引き起こすのみならず、医療廃棄物処理を行う手間がかかる。
つまり、医療分野の管理において隠れた悩みが存在していた。
【先行技術文献】
【特許文献】
【０００７】
【特許文献１】米国特許第６，９７２，００２号明細書
【発明の概要】
【発明が解決しようとする課題】
【０００８】
本発明は、医療関係者が静脈留置針を取り外す際、誤って使用済みの穿刺針を自身に誤刺して怪我をする事態を予防するために、安全対策がされた静脈留置針に関する。
【課題を解決するための手段】
【０００９】
本発明の目的は、トロッカーが固定された外針基と、収納筒と、穿刺針が固定された穿刺針保持部と、引抜部が埋め込まれており収納筒を前後にスライドすることができる操作部と、を有する安全な静脈留置針を提供することである。穿刺を行う前に操作部を患者方向に押し出すことにより、引抜部が穿刺針保持部に結合し、結合後、穿刺針保持部の穿刺針を患者の静脈に刺入することにより、トロッカーが挿入される。穿刺後、操作部を患者の反対方向に移動することにより、結合された穿刺針保持部と引抜部とが同時に引き抜かれ、穿刺針保持部の穿刺針が収納筒に収納されるため、医療関係者が使用済みの穿刺針を誤って刺す事態が発生しない。
【００１０】
本発明の他の目的は、針収容部が収納筒の内部に配置され、少なくとも１つの溝部が針収容部の内側の壁面に形成された、安全な静脈留置針の提供である。引抜部が穿刺針保持部に結合されると、引抜部と穿刺針保持部との間にてこが発生し、穿刺針が収納筒に引き出される際に穿刺針が針収容部の溝部に傾いて入るため、穿刺針が収納筒から再度出る可能性が減少する。
【００１１】
本発明の他の目的は、収納筒の他端にバネ機構が形成された、安全な静脈留置針の提供である。操作部が押出部を後ろ方向に押すことにより、バネ機構が圧縮する。さらに、押出部が解放された後、穿刺針保持部はバネ機構の弾力性がある押出力によって前方向に押し出され、穿刺針保持部の穿刺針の針頭部は針収容部の溝部に収容されるため、穿刺針を安全に取り出すことができる。
【００１２】
前述の目的を達成するにあたり、本発明の１実施例においては、
中心部に内針連通空洞部が形成され、内針連通空洞部の側面に配置され内針連通空洞部に連通するシャントチューブを有し、内針連通空洞部の先端からトロッカーが露出される外針基と；
先端には針収容部が形成され、後端には曲面部が形成され、外針基の内針連通空洞部に連通する収納筒と；
先端には穿刺針が挿入して固定され、後端には第１結合部が配置され、針収容部に収納された場合に前記穿刺針が収納筒の本体の中央前部孔、内針連通空洞部及び外針基のトロッカーを通過してトロッカーの先端から露出される穿刺針保持部と；
先端に第２結合部が配置される引抜部と；
中空管である操作部と；を有し、中空管の周囲には押出部が配置され、中空管の中心部には引抜部が埋め込まれて固定され、収納筒の曲面部は前記中空管の周囲と中空管の中心部との間を通過するように配置され、押出部に押出力を与えることにより操作部が収納筒の曲面部を前後に移動し、押出部が前方押された場合に引抜部の第２結合部と穿刺針保持部の第１結合部とが結合し、押出部が引き戻される引抜部に結合した穿刺針保持部が引き戻され、穿刺針が前記針収容部に収納される、安全な静脈留置針を提供する。
【００１３】
前述の目的を達成するにあたり、本発明の１実施例においては、第１結合部は凹んだ形状であり、第２結合部は突き出た形状であり、第１結合部の一方の側の内部側面には突起と肉薄側面部とが形成され、第１結合部の他方の側の内部側壁には肉厚側面部が形成され、第２結合部が第１結合部に結合されると穿刺針保持部と引抜部との間にてこが働き、穿刺針が針収容部に引き戻された場合に穿刺針に傾く力が働く、安全な静脈留置針が提供される。
【００１４】
前述の目的を達成するにあたり、本発明の１実施例においては、操作部は中空管の中心部に筒状空洞部が配置され、中空管の周囲と筒状空洞部との間に弧状開口部が形成され、引抜部は筒状空洞部に埋め込まれて固定され、収納筒の曲面部は弧状開口部を通過するように配置される、安全な静脈留置針が提供される。
【００１５】
前述の目的を達成するにあたり、本発明の１実施例においては、針収容部の先端の内部側壁に少なくとも１つの溝部が形成され、穿刺針が針収容部に引き戻された場合に穿刺針の針頭部が傾いて溝部に移動する、安全な静脈留置針が提供される。
【００１６】
前述の目的を達成するにあたり、本発明の１実施例においては、溝部と前部孔との間には傾斜部が形成され、穿刺針が前部孔を通過して針収容部に引き戻された場合に、穿刺針の針頭部が傾いて溝部に移動する、安全な静脈留置針が提供される。
【００１７】
前述の目的を達成するにあたり、本発明の１実施例においては、さらに、収納筒の後端に固定して配置されたバネ機構を有し、操作部を押し出す押出部を後方に移動するとバネ機構が圧縮され、押出部が解放された後にバネ機構の弾力性のある押出力によって操作部、前記引抜部、穿刺針保持部が前方に向けて押し出されて、穿刺針保持部に配置された穿刺針の針頭部が溝部内に深く突き当たる、安全な静脈留置針が提供される。
【００１８】
前述の目的を達成するにあたり、本発明の１実施例においては、バネ機構は固定部と、バネ部と、受取部とによって構成され、固定部とバネ部とは受取部に保持され、バネ機構は受取部によって収納筒の後側収容部に配置される、安全な静脈留置針が提供される。
【００１９】
前述の目的を達成するにあたり、本発明の１実施例においては、押出部には指押部が窪んだ形状で形成され、さらに押出部の側面には滑り止め機能を有する一対の羽根部が形成される、安全な静脈留置針が提供される。
【００２０】
前述の目的を達成するにあたり、本発明の１実施例においては、外針基は内部に隔離プラグを含み、隔離プラグは内針連通空洞部とシャントチューブとの間の連結部の後端側に配置され、隔離プラグに穿刺針を挿入することにより、穿刺針が内針連通空洞部を通過する、安全な静脈留置針が提供される。
【００２１】
前述の目的を達成するにあたり、本発明の１実施例においては、収納筒の先端の外縁にはＵ字型の係止部が形成され、操作部の中空管の一部にはＵ字型の係止部に対応するＵ字型の隙間部が形成され、収納筒の曲面部の後端にはマーキングカーブが配置され、押出部が前方に向けて押されて操作部のすき間部が軽視部に配置された場合に引抜部の第２結合部が穿刺針保持部の第１結合部に結合し、押出部が押し戻されて操作部の隙間部がマーキングカーブの上に移動すると穿刺針の針頭部が前記針収容部に収容される、安全な静脈留置針が提供される。
【００２２】
以下、本発明について図面及び実施例を用いて詳細に説明するが、本発明の態様は以下に限られない。
【図面の簡単な説明】
【００２３】
【図１】従来の静脈留置針の拡大斜視図である。
【図２】本発明の安全な静脈留置針の構造の拡大分解図である。
【図３】本発明の安全な静脈留置針の構造の拡大断面図である。
【図４】本発明の安全な静脈留置針の構造の組立後の図である。
【図５】本発明の安全な静脈留置針の構造の組立後の断面図である。
【図６】本発明の収納筒の構造の一部の拡大分解図である。
【図７Ａ】本発明の操作部の構造の分解図である。
【図７Ｂ】本発明の操作部の構造の上面図である。
【図７Ｃ】本発明の操作部の構造の側面図である。
【図７Ｄ】本発明の操作部の構造のＡ−Ａ’断面図である。
【図７Ｅ】本発明の操作部の構造のＢ−Ｂ’断面図である。
【図８】図５に図示された安全な静脈留置針の構造の部分拡大図である。
【図９】安全な静脈留置針の操作部が押し出された状態の拡大断面図である。
【図１０】図９に図示された安全な静脈留置針の構造の部分拡大図である。
【図１１】安全な静脈留置針の操作部が引き抜かれた状態の拡大断面図である。
【図１２】図１１に図示された安全な静脈留置針の構造の部分拡大図である。
【発明を実施するための形態】
【００２４】
本発明の構造及び作用について、図面に従って詳細に説明する。
【００２５】
図２、３、４及び５は、本発明の安全な静脈留置針の実施形態であり、静脈留置針の拡大分解図、拡大断面図、組立後の図、及び組立後の断面図をそれぞれ示している。図において、静脈留置針２００は外針基２１と、収納筒２２と、穿刺針保持部２３と、操作部２４と引抜部２５と、を有している。
【００２６】
外針基２１の中心部には内針連通空洞部２１２が形成され、側部には内針連通空洞部２１２に連結するシャントチューブ２１３が配置される。シャントチューブ２１３は薬品または血液の通路となる輸液管２１５に連結する。さらに内針連通空洞部２１２の前端部には、外針基２１から露出するトロッカー２１１が配置され、後端部には開口部が形成される。
【００２７】
合わせて図６を参照すると、静脈留置針２００には中空管である針収容部２２１が形成された収納筒２２が配置され、収納筒２２の一端には前部孔２２３が形成され、他端には曲面部２２２が形成される。本発明の実施形態によると、収納筒２２の一端は外針基２１の開口部に連結してもよい。本発明の更なる実施形態によると、外針基２１の後端部の開口部の内縁には第１留め具２１２０が形成され、収納筒２２の一端に配置される前部孔２２３の周囲には第２留め具２２３０が形成される。外針基２１及び収納筒２２は、第１留め具２１２０及び第２留め具２２３０に形成された一対の凹凸を嵌め合わせることによって、安定して連結される。
【００２８】
穿刺針保持部２３の一端には、穿刺針２３１が挿入によって固定される。穿刺針保持部２３が収納筒２２の針収容部２２１に配置されると、穿刺針２３１は収納筒２２の前部孔２２３、外針基２１の内針連通空洞部２１２及びトロッカー２１１を通過し、トロッカー２１１の端部から外部に露出される。さらに、外針基２１は隔離プラグ２１４を含み、隔離プラグ２１４は内針連通空洞部２１２及びシャントチューブ２１３の間の結合部の後端に配置される。穿刺針２３１は、隔離プラグ２１４に刺すことによって内針連通空洞部２１２を通過する。穿刺針２３１がトロッカー２１１を先導して静脈注射を行う際、穿刺針２３１がスライドする状態を防ぐために、隔離プラグ２１４は穿刺針２３１を固定するために用いられる。
【００２９】
さらに図７Ａから７Ｅを参照すると、操作部２４は中空管であり、中空管の周囲には押出部２４１が配置され、中空管の中心部には筒状空洞部２４３が配置され、中空管の周囲と筒状空洞部２４３の中心部との間には弧状開口部２４５が形成される。本発明によると、引抜部２５は筒状空洞部２４３に埋め込まれて固定され、収納筒２２の曲面部２２２は弧状開口部２４５を通過するように配置される。押出部２４１を押し出すことにより、操作部２４は収納筒２２の曲面部２２２を前後に移動し、同様に操作部２４に埋め込まれるように固定された引抜部２５は操作部２４に対応して移動する。本発明の一実施形態によると、第１埋込部２４３１は操作部２４に形成された筒状空洞部２４３の内部に配置され、第２連結部２５１は引抜部２５の周囲を囲むように配置される。第２連結部２５１によって、引抜部２５は第１埋込部２４３１の内部に埋め込まれて固定される。
【００３０】
さらに、第１結合部２３２は穿刺針保持部２３の後端に配置され、これに対応するように第２結合部２５２が引抜部２５の先端に配置される。医療関係者が患者への注射を行う際、操作部２４を押し出す押出部２４１が患者方向に移動されることにより引抜部２５が操作部２４によって前方に移動し、穿刺針保持部２３の第１結合部２３２に結合する引抜部２５の第２結合部２５２を導く。引抜部２５と穿刺針保持部２３との結合の後に、トロッカー２１１を人体の静脈に刺入するために、医療関係者が穿刺針保持部２３の穿刺針２３１を使用する。医療関係者は刺入を確認した後、操作部２４を押し出している押出部２４１を患者とは反対方向に移動することにより、引抜部２５及び穿刺針保持部２３が操作部２４によって患者の反対方向に移動され、穿刺針保持部２３の穿刺針２３１が収納筒２２の針収容部２２１に収納される。このように、穿刺針２３１を安全に引き抜く目的が達成される。第１結合部２３２及び第２結合部２５２の結合については後述する。
【００３１】
さらに、収納筒２２の先端の外縁にはＵ字型の係止部２２４が形成され、操作部２４の管の一部には、係止部２２４に対応するＵ字型の隙間部２４４が形成される。押出部２４１を患者方向に移動することにより操作部２４の隙間部２４４が係止部２２４に配置されると、引抜部２５の第２結合部２５２と穿刺針保持部２３の第１結合部２３２とが結合される。加えて、収納筒２２の曲面部２２２の後方には、マーキングカーブ２２２１が配置されている。押出部２４１が患者の反対方向に移動されて操作部２４の隙間部２４４がマーキングカーブ２２２１の上部に移動すると、穿刺針保持部２３に取り付けられた穿刺針２３１の針頭部が針収容部２２１に収容される。さらに、押出部２４１の側面には滑り止め機能を有する一対の羽根部２４１１が形成され、押出部２４１の指押部２４１３は窪んで形成される。医療関係者は、指押部２４１の羽根部２４１１を患者の方向に押すことにより操作部２４を患者方向に移動し、または指押部２４１の指押部２４１３を患者の反対方向に移動して操作部２４を引き抜くことができる。
【００３２】
さらに、本発明の静脈留置針２００は、バネ機構２６を有する。バネ機構２６は、固定部２６１と、バネ部２６２と、受取部２６３とによって構成される。固定部２６１及びバネ部２６２は受取部２６３に配置され、バネ機構２６は受取部２６３によって収納筒２２の後側収容部２２５に組み込まれる。そして、針収容部２２１の先端の内部側壁は少なくとも１つの溝部２２１１で形成され、溝部２２１１及び前部孔２２３の間に傾斜部２２１３が形成される。
【００３３】
図８には、図５に図示された安全な静脈留置針の構造の部分拡大図が図示されている。ここで、穿刺針保持部２３の第１結合部２３２は凹んだ構造であり、引抜部２５の第２結合部２５２は弾力性がある突き出た構造である。第１結合部２３２の内部側壁の一方には、突出部２３２１及び肉薄側面部２３２３が形成され、内部側壁の他方には、肉厚側面部２３２５が形成される。第２結合部２５２が第１結合部２３２に結合されると、第２結合部２５２は第１結合部２３２の内部で突出部２３２１によって肉厚側面部２３２５の方向に押され、穿刺針保持部２３と引抜部２５との間にてこが発生する。その後、穿刺針保持部２３の穿刺針２３１が前部孔２２３から患者の反対方向に引き抜かれると（図２、図３参照）、穿刺針保持部２３と穿刺針保持部２３に固定されている穿刺針２３１とはてこの発生によって傾き、収納筒２２（図２，図３参照）の前部孔２２３の中心部から穿刺針２３１が再び出ることを防ぎ、医療関係者に刺さる事故を防ぐ。さらに、本発明にて説明されている第２結合部２５２は中空構造により形成されるため、第２結合部２５２は弾力性を有し、第２結合部２５２と第１結合部２３２との結合を容易にする。
【００３４】
次に、刺入及び引抜時における穿刺針２３１の詳細な動作について説明する。まず図９及び図１０を参照すると、医療関係者が患者に対して刺入を行う際、操作部２４の押出部２４１を係止部２２４の位置まで移動することにより（図４を参照）、引抜部２５の第２結合部２５２が穿刺針保持部２３の第１結合部２３２に結合する。この時点において、医療関係者は穿刺針保持部２３に固定された穿刺針２３１を患者に対して刺入し、トロッカー２１１を静脈に先導する。さらに、引抜部２５の第２結合部２５２が穿刺針保持部２３の第１結合部２３２に結合されると、第２結合部２５２は第１結合部２３２の内部で第２結合部２５２によって肉厚側面部２３２５の方向に押され、穿刺針保持部２３と引抜部２５との間にてこが働く。
【００３５】
引き続いて図１１及び図１２を参照すると、医療関係者が静脈穿刺を確認した後、穿刺針２３１の引抜が行われ、操作部２４を押し出している押出部２４１が患者の反対方向に移動され、穿刺針保持部２３と引抜部２５とが患者の反対方向に同時に移動する。操作部２４を押し出している押出部２４１が患者の反対方向に引き抜かれ、マーキングカーブ２２２１の位置まで移動されると（図４参照）、穿刺針２３１は前部孔２２３から離れる。第１結合部２３２と第２結合部２５２との間にてこが働き、穿刺針２３１が溝部２２１１に傾いて挿入される。その際、第２結合部２５２は肉薄側面部２３２３の方向に傾く。さらに、操作部２４を押し出している操作部２４がマーキングカーブ２２２１の位置まで移動されると（図４参照）、引抜部２５の底部が押されてバネ機構２６を圧縮する。その後、押出部２４１が解放されると、第１結合部２３２と第２結合部２５２との間にてこが働き、バネ機構２６の弾力性がある押出力によって穿刺針２３１が傾く。傾斜部２２１３のデザインと合わせて、穿刺針２３１の針頭部が溝部２２１１に移動する際、傾斜部２２１３に沿って傾く。その後、穿刺針２３１の針頭部は前方向に移動し、バネ機構２６の弾力性がある押出力によって溝部２２１１に配置される。穿刺針２３１の針頭部は収納筒２２に安全に収納されるため、医療関係者は使用済みの穿刺針２３１を自身に誤刺して怪我をすることが無い。穿刺針２３１の針頭部が収納筒２２に安全に収納された後、医療関係者は外針基２１の開口部から収納筒２２を取り外すことができる。上記によって、穿刺針２３１を取り除く手順が完了する。
【００３６】
本発明には、他にも様々な実施例が存在する。当業者は、本発明の範囲から逸脱することなく、本発明の変更及び変形を行うことができ、それらの変更は請求の範囲に含まれる。
【符号の説明】
【００３７】
１００  …  静脈留置針      
１１  …  外針基     １１１  …  トロッカー      １１３  …  シャントチューブ
１２  …  輸液管     １２１  …  結合部   １３  …  穿刺針
２００  …  静脈留置針
２１  …  外針基     ２２１  …  針収容部
２１２  …  内針連通空洞部  ２１２０  …  第１留め具
２１３  …  シャントチューブ       ２１４  …  隔離プラグ      ２１５  …  輸液管
２２  …  収納筒     ２２１１  …  溝部   ２２１３  …  傾斜部
２２２  …  曲面部   ２２２１  …  マーキングカーブ
２２３  …  前部孔   ２２３０  …  第２留め具
２２４  …  係止部
２２５  …  後側収容部      ２３  …  穿刺針保持部
２３１  …  穿刺針   ２３２  …  第１結合部
２３２１  …  突出部 ２３２３  …  肉薄側面部    ２３２５  …  肉厚側面部
２４  …  操作部     ２４１  …  押出部   
２４１１  …  羽根部 ２４１３  …  指押部 ２４３  …  筒状空洞部
２４３１  …  第１埋込部    ２４４  …  隙間部   ２４５  …  弧状開口部
２５  …  引抜部
２５１  …  第２連結部      ２５２  …  第２結合部
２６  …  バネ機構   
２６１  …  固定部   ２６２  …  バネ部   ２６３  …  受取部
【図１】
2016506282.tif 000003
【図２】
2016506282.tif 000004
【図３】
2016506282.tif 000005
【図４】
2016506282.tif 000006
【図５】
2016506282.tif 000007
【図６】
2016506282.tif 000008
【図７Ａ】
2016506282.tif 000009
【図７Ｂ】
2016506282.tif 000010
【図７Ｃ】
2016506282.tif 000011
【図７Ｄ】
2016506282.tif 000012
【図７Ｅ】
2016506282.tif 000013
【図８】
2016506282.tif 000014
【図９】
2016506282.tif 000015
【図１０】
2016506282.tif 000016
【図１１】
2016506282.tif 000017
【図１２】
2016506282.tif 000018
【国際調査報告】
2016506282.tif 000019
2016506282.tif 000020
2016506282.tif 000021
2016506282.tif 000022
2016506282.tif 000023
2016506282.tif 000024
2016506282.tif 000025
2016506282.tif 000026
2016506282.tif 000027